(57)【要約】【課題】整流板保持部の保持状態で整流板が確実に保持されるとともに整流板を整流板保持部から容易に外すことができることを目的とする。【解決手段】整流板保持部６の下端にストッパー１０を設けることで、整流板保持部６を取り外しする方向に回転軸７を中心に回転させ、引っ掛け部３と整流板保持部６を取り外しさせストッパー１０はカバー９の下端に干渉させ、整流板保持部６の保持状態で整流板４が確実に保持されるとともに整流板４を整流板保持部６から容易に取り外すことができるレンジフードを得られる。【選択図】図２
2017180854.tif 000002
【特許請求の範囲】
【請求項１】
送風機と、フードと、引っ掛け部とを有した整流板とを備えたレンジフードにおいて、前記整流板の前記引っ掛け部を保持する整流板保持部と、前記整流板保持部の上部に前記整流板保持部の回転を支持する回転軸と、前記整流板保持部に反発力を付加するばねと、前記整流板保持部と前記回転軸と前記ばねとを保持するカバーで構成され、前記整流板保持部の下端にストッパーを設けたことを特徴とするレンジフード。
【請求項２】
ストッパーの形状を、フードの内側から外側下方に向かって傾斜した平面としたことを特徴とする請求項１に記載のレンジフード。
【請求項３】
ストッパーの形状を、フードの内側から外側に向かってカバーの下面に対して平行とした平面とし前記平面の下に回転軸の方向に長軸を持つ下方に向かって突起した楕円形の凸部を設けたことを特徴とする請求項１に記載のレンジフード。
【発明の詳細な説明】
【技術分野】
【０００１】
本発明は、調理機器の上方に設置され、調理時に発生する油煙を捕集して屋外に排気するレンジフードの整流板の取り付け構造に関するものである。
【背景技術】
【０００２】
従来、この種のレンジフードの整流板の取り付け構造は、可動突起部を設けた係止部と、他方に設けた被係止部が係止及びその解除作業をするレンジフードが知られている（例えば、特許文献１参照）。
【０００３】
以下、特許文献１に記載のレンジフードについて図６を参照しながら説明する。
【０００４】
図６に示すように、整流板１０１、フード１０２の何れか一方の複数個所にばね１０３で付勢され軸部先端に拡大頭部１０４を有する可動突起１０７を設ける一方、他方に、軸部１０６に交差状に係止する被係止体１０５を設けたものである。
【先行技術文献】
【特許文献】
【０００５】
【特許文献１】特開２００３−２４０３００号公報
【発明の概要】
【発明が解決しようとする課題】
【０００６】
このような従来のレンジフードにおいては、整流板を保持する可動突起部、すなわち整流板保持部は、整流板の着脱方向に対して垂直方向へ可動することにより整流板の引っ掛け部を可動突起部から着脱する機構であり、そのため、整流板の取り外しの際に可動突起部を奥まで押し込んでから外す必要があり取り外しがしにくい、という課題を有していた。
【０００７】
そこで本発明は、上記従来の課題を解決するものであり、整流板保持部の保持状態で整流板が確実に保持されるとともに整流板を整流板保持部から容易に外すことができるレンジフードを提供することを目的とする。
【課題を解決するための手段】
【０００８】
そして、この目的を達成するために、本発明は、送風機と、フードと、引っ掛け部とを有した整流板を備えたレンジフードにおいて、前記整流板の前記引っ掛け部を保持する整流板保持部と、前記整流板保持部の上部に前記整流板保持部の回転を支持する回転軸と、前記整流板保持部に反発力を付加するばねと、前記整流板保持部と前記回転軸と前記ばねとを保持するカバーで構成され、前記整流板保持部の下端にストッパーを設けたこととしたものであり、これにより所期の目的を達成するものである。
【発明の効果】
【０００９】
本発明によれば、送風機と、フードと、引っ掛け部とを有した整流板とを備えたレンジフードにおいて、前記整流板の前記引っ掛け部を保持する整流板保持部と、前記整流板保持部の上部に前記整流板保持部の回転を支持する回転軸と、前記整流板保持部に反発力を付加するばねと、前記整流板保持部と前記回転軸と前記ばねとを保持するカバーで構成され、前記整流板保持部の下端にストッパーを設けた、という構成にしたことにより、整流板保持状態では、ストッパーはカバー下端に干渉し、また、整流板取り外しの際には、整流板保持部を取り外しする方向（整流板を外す際に荷重を付加する方向）に回転軸を中心に回転させ、引っ掛け部と整流板保持部を取り外しさせることとなるので、整流板保持部の保持状態では整流板は整流板保持部に対し確実に保持されるとともに整流板の取り外し時には整流板を整流板保持部から容易に取り外すことができる、という効果を得ることができる。
【図面の簡単な説明】
【００１０】
【図１】本発明の実施の形態１のレンジフードの下方から見た斜視図
【図２】同レンジフードの整流板固定部の正面から見た断面を示す図
【図３】同レンジフードの整流板保持部に加わる荷重を付加した正面から見た断面を示す図
【図４】本発明の実施の形態２のレンジフードの整流板固定部の正面から見た断面を示す図
【図５】同レンジフードの下方から見たストッパーの周辺の拡大図
【図６】従来のレンジフードの整流板固定部の正面から見た断面を示す図
【発明を実施するための形態】
【００１１】
本発明の請求項１記載のレンジフードは、送風機と、フードと、引っ掛け部とを有した整流板とを備えたレンジフードにおいて、前記整流板の前記引っ掛け部を保持する整流板保持部と、前記整流板保持部の上部に前記整流板保持部の回転を支持する回転軸と、前記整流板保持部に反発力を付加するばねと、前記整流板保持部と前記回転軸と前記ばねとを保持するカバーで構成され、前記整流板保持部の下端にストッパーを設けた、という構成にしたことにより、整流板保持状態では、ストッパーはカバー下端に干渉し、また、整流板取り外しの際には、整流板保持部を取り外しする方向（整流板を外す際に荷重を付加する方向）に回転軸を中心に回転させ、引っ掛け部と整流板保持部を取り外しさせることとなるので、整流板保持部の保持状態では整流板は整流板保持部に対し確実に保持されるとともに整流板の取り外し時には整流板を整流板保持部から容易に外すことができる、という効果を奏する。
【００１２】
また、ストッパーの形状を、フードの内側から外側下方に向かって傾斜した平面とした、という構成にしてもよい。これにより、傾斜がカバー下端に干渉することとなるので、容易にストッパーを作製しつつ整流板保持部の保持状態で整流板が確実に保持されるとともに整流板を整流板保持部から容易に取り外すことができる、という効果を奏する。
【００１３】
また、ストッパーの形状を、フードの内側から外側に向かってカバーの下面に対して平行とした平面とし前記平面の下に回転軸の方向に長軸を持つ下方に向かって突起した楕円形の凸部を設けた、という構成にしてもよい。これにより、凸部がカバーの下面のストッパー側の端部に接触して引っ掛かるので、整流板保持部の保持状態で整流板がより確実に引っ掛かり保持されるとともに整流板を整流板保持部から容易に取り外すことができる、という効果を奏する。
【００１４】
以下、本発明の実施の形態について図面を参照しながら説明する。
【００１５】
（実施の形態１）
図１、図２に示すように、レンジフードは、加熱調理機器（図示せず）の上部に取り付けられ、送風機１と、下方に開口する例えば逆お椀状（下方に凹状を有している）のフード２と、引っ掛け部３を有した整流板４とを備えている。そして、整流板４の引っ掛け部３を保持する整流板保持部６と、整流板保持部６の上部に整流板保持部６の回転を支持する回転軸７と、整流板保持部６にフード２の外側方向に反発力を付加するばね８と、整流板保持部６と回転軸７とばね８とを、整流板保持部６とばね８が、回転軸７を同一回転軸として保持するカバー９で構成された整流板固定部５を有し、整流板保持部６の下端にストッパー１０を設ける。
【００１６】
また、整流板保持部６上部の回転軸７との固定部１７は、Ｕ字形状やフードの上下方向に長辺を持つ長穴形状とし、整流板固定部５が上下に可動する構成とする。このような構成によれば、整流板４の引っ掛け部３の整流板保持部６への保持状態では、ストッパー１０はカバー９の下端に干渉することになるので、整流板保持部６の保持状態では整流板４は整流板保持部６に対し確実に保持される。また、整流板４取り外しの際には、整流板保持部６を指でフード２の内側方向へ押動するが、ストッパー１０は、回転軸７との固定部１７をＵ字形状としたことで、上方へ可動し、カバー９の下端に容易に乗り上げた後、整流板４を外す際に荷重を付加する方向（フード下方向）と同方向に整流板保持部６が回転軸７を中心に回転され、引っ掛け部３と整流板保持部６を取り外しさせることとなるので、整流板４を整流板保持部６から容易に外すことができる、という効果を奏する。
【００１７】
整流板４の引っ掛け部３の整流板保持部６への保持状態時、および整流板４を整流板保持部６から取り外し時の整流板保持部６に加わる荷重について、図２を用いて説明する。
【００１８】
整流板４の自重による荷重または下方への引っ張りによる荷重１２(図３)は、回転軸７を中心とした回転トルクを生じるが、ストッパー１０にかかる静止摩擦荷重１３(図３)によるトルクが上回り、整流板保持状態では、整流板保持部６は回転しないが、取り外し時には、整流板保持部６に使用者による押動荷重１４を付加することで、静止摩擦荷重１３に対抗して、整流板保持部６が回転する。
【００１９】
また、図２に示すように、ストッパー１０の形状を、整流板保持部６の下端からフード２の内側から外側下方に向かって傾斜した平面１１としてもよい。傾斜した平面１１とカバー９の下面との角度は、整流板４の保持強度に影響する。具体的には、傾斜した平面１１とカバー９の下面との角度を大きくすることで傾斜した平面１１とカバー９の下面のストッパー１０側の端部との接触角度が大きくなるため、静止摩擦荷重１３による整流板４の保持強度が強まり、一方、当該角度を小さくすることで接触角度が小さくなるため、静止摩擦荷重１３が減少し、保持強度が弱まる。当該の角度検討を行った結果、傾斜した平面１１のカバー９の下面との角度を約７°に設定することが望ましい。この時の自重または引っ張りによる荷重１２によるトルクと静止摩擦荷重１３によるトルクの測定結果を示す。
【００２０】
【表１】
2017180854.tif 000003
【００２１】
角度０°では、
ある点で自重または引っ張りによる荷重１２によるトルク＞静止摩擦荷重１３によるトルク
となり、整流板４が外れるが、角度７°では、常に
自重または引っ張りによる荷重１２によるトルク＜静止摩擦荷重１３によるトルク
となり、整流板４が意図しない自重または引っ張りによる荷重１２により外れることはない。また、整流板４を外す際は、自重または引っ張りによる荷重１２が小さい領域（例えば、自重または引っ張りによる荷重１２によるトルクが０．０８［ｍ・Ｎ］）で行うが、この場合の静止摩擦荷重１３によるトルクは両者でほぼ変わらないため、整流板４の取り外し性にも影響がない。また、ストッパー１０は、傾斜した平面１１の曲げ角度により調整ができるため、容易に作成可能である。これにより、傾斜した平面１１がカバーの下面のストッパー１０側の端部に接触して引っ掛かるので、容易にストッパー１０を作製しつつ整流板保持部６の保持状態で整流板４が確実に保持されるとともに整流板４を整流板保持部６から容易に外すことができる、という効果を奏する。
【００２２】
（実施の形態２）
図４、５に示すように、実施の形態１に記載のストッパー１０を、フード２の内側（図１記載の送風機１）から外側（図１に向かって左右側）に向かってカバー９の下面に対して平行とした平面とし前記平面の下に回転軸７の方向（図１に向かって左右側）に長軸を持つ調理器（図示せず）がある下方に向かって突起したかまぼこ状の楕円形の凸部１６を設けたものである。
【００２３】
このような構成によれば、整流板保持状態では、突起形状１５はカバー９の下端に干渉し、また、整流板４の取り外しの際には、整流板保持部６を指でフード２の内側方向へ押動しながら、整流板保持部６を取り外しする方向（整流板４を外す際に荷重を付加する方向）に回転軸７を中心に回転させ、引っ掛け部３と整流板保持部６を取り外しさせることとなるので、整流板保持部６の保持状態では整流板４は整流板保持部６に対しより確実に保持されるとともに整流板４の取り外し時には、整流板４を整流板保持部６から容易に取り外すことができる、という効果を奏する。
【００２４】
また、凸部１６がカバー９の下面のストッパー１０側の端部に接触して引っ掛かるので、整流板保持部６の保持状態で整流板４がより確実に引っ掛かり保持されるとともに整流板４を整流板保持部６から楕円形の凸部１６の楕円形の曲線がカバー９の下面に接触しながらスムーズに動くので結果容易に取り外すことができる、という効果を奏する。
【産業上の利用可能性】
【００２５】
本発明にかかるレンジフードは、整流板保持部の保持状態で整流板が確実に保持されるとともに整流板を整流板保持部から容易に取り外すことができることを可能とするものであるので、取り外し機構を有する産業用機器等として有用である。
【符号の説明】
【００２６】
１    送風機
２    フード
３    引っ掛け部
４    整流板
５    整流板固定部
６    整流板保持部
７    回転軸
８    ばね
９    カバー
１０    ストッパー
１１    傾斜した平面
１２    自重または引っ張りによる荷重
１３    静止摩擦荷重
１４    押動荷重
１５    突起形状
１６    凸部
１７    固定部
【図１】
2017180854.tif 000004
【図２】
2017180854.tif 000005
【図３】
2017180854.tif 000006
【図４】
2017180854.tif 000007
【図５】
2017180854.tif 000008
【図６】
2017180854.tif 000009